(57)【要約】【課題】検査効率と検査精度を向上させることができる表示パネル検査装置を提供する。【解決手段】マトリックスで構成された画素を持つ表示パネルの検査装置において、各電極に一定電流を流す定電流回路２と、行電極ドライバー回路１７と検出回路を切り替えるスイッチ３と列電極ドライバー回路１８と検出回路を切り替えるスイッチ５と各電極の分布容量に充電された電圧を増幅するバッファー増幅器１０とバッファー増幅器１０で増幅された電圧を保持、検出するサンプルホールド回路１２，１３とサンプルホールド回路１２，１３の電圧をＡＤ変換するＡＤ変換回路１５とからなる測定ユニット１と装置全体の制御を行う制御回路を有し、各電極間に形成されるダイオード１９の分布容量に定電流を流し、その電圧を測定し判断することによって、表示パネルの各電極のオープン、ショート、正常の判断をする。【選択図】  図２
2005003606.tif 000002
【特許請求の範囲】
【請求項１】
列電極と行電極のマトリックスで構成された画素を有する表示パネルの検査装置において、
各電極に一定電流を流す定電流回路と、
行電極ドライバー回路と検出回路を切り替えるスイッチ、列電極ドライバー回路と検出回路を切り替えるスイッチ、各電極の分布容量に充電された電圧を増幅するバッファー増幅器、前記バッファー増幅器で増幅された電圧を保持、検出するサンプルホールド回路、及び前記サンプルホールド回路の電圧をＡＤ変換するＡＤ変換回路とからなる測定ユニットと、
装置全体の制御を行う制御回路とを有し、各電極に形成されるダイオードの分布容量に定電流を流し、その電圧を測定し判断することによって、表示パネルの各電極のオープン、ショート、正常の判断をすることを特徴とする表示パネルの検査装置。
【発明の詳細な説明】
【０００１】
【発明の属する技術分野】
本発明は、有機ＥＬ等を利用したマトリックスで構成された画素を持つ表示パネルの電極のオープン（断線）、ショート（短絡）を検査する表示パネルの検査装置に関する。
【０００２】
【従来の技術】
列電極と行電極を発光素子や液晶を介して交差させて配置し、交差する部分を画素として発光させる表示パネルが知られている。例えば、有機ＥＬ表示パネルは、図３のカラー表示のパッシブマトリックスの有機ＥＬ表示パネル回路構成図に示すように、マトリックス状に配置された列電極Ｒと行電極Ｃの間に電圧を印可して電流を注入して電極Ｒ，Ｃ間の有機発光素子（ダイオードと等価）を発光させるものである。
【０００３】
表示パネルは選択された電極間で正常に発光させるために、組み立て後に表示パネルのオープン・ショートを検査している。検査の手法については、拡大鏡による目視検査、目視による電気特性検査などが行われている。例えば、特許文献１では、液晶パネルや有機ＥＬパネルを検査する際に、プローブ端子と各電極の配線端子を正確に且つ容易に位置決めし、接触させて、点灯、鮮明でない点灯、不点灯などの点灯表示状態を目視で検査することが開示されている。
【０００４】
【特許文献１】
特開２００３−６６８７０
【０００５】
【発明が解決しようとする課題】
特許文献１の検査は、目視による検査のため、検査効率が良くなく、検査者の熟練を必要とし、また見落としがある場合もあり、検査精度に問題がある。そこで、本発明は、検査効率と検査精度を向上させることができる表示パネル検査装置を提供するものである。
【０００６】
【課題を解決するための手段】
本発明は、マトリックスで構成された画素を持つ表示パネルの検査装置において、各電極に一定電流を流す定電流回路と、行電極ドライバー回路と検出回路を切り替えるスイッチと列電極ドライバー回路と検出回路を切り替えるスイッチと各電極の分布容量に充電された電圧を増幅するバッファー増幅器と前記バッファー増幅器で増幅された電圧を保持、検出するサンプルホールド回路と前記サンプルホールド回路の電圧をＡＤ変換するＡＤ変換回路とからなる測定ユニットと装置全体の制御を行う制御回路を有し、各電極間に形成されるダイオードの分布容量に定電流を流し、その電圧を測定し判断することによって、表示パネルの各電極のオープン、ショート、正常の判断をする。
【０００７】
【発明の実施の形態】
本発明の表示パネル検査装置は、電極間に形成されるダイオードの分布容量に定電流電源を接続すると一定の傾斜で電圧が上昇する。図１は定電流を流した時間と電圧の関係を示す図である。図１において、ＩＴ＝ＣＶで示されるカーブがオープンの場合、正常な場合、ショートの場合で電圧が異なるので、ＣＰＵで一定時間後の電圧を検出し、電圧が正常な電圧の範囲にあるか否かを演算して、表示パネルのオープン、ショート、正常の判断を自動的に行うことにより、前記課題を解決しようとするものである。また、Ｃの値が表示パネルによって違っていてもＩ、Ｔを調整することにより多種の表示パネルに対応することができる。
【０００８】
【実施例】
図２は本発明による表示パネル検査装置の一例を示す図である。１は測定ユニットで、測定ユニット１は次の構成からなる。２は各電極に一定電流を流す定電流電源である。スイッチ３とスイッチ４で、パネルの行電極ドライバー回路と検出回路の切り替えを行う。スイッチ５とスイッチ６は、パネルの列電極ドライバー回路１８と検出回路の切り替えを行う。スイッチ７とスイッチ８とスイッチ９で、定電流をパネルに供給するか又はＧＮＤ（０Ｖ）にするかの切り替えを行う。
【０００９】
オペアンプ１０は、パネルの負荷容量が計測回路に影響しないようにするバッファー増幅器である。スイッチ１１と、コンデンサ１２とオペアンプ１３でサンプルホールド回路を形成し、一定時間後の電圧をコンデンサ１２に蓄積する。スイッチ１４で必要なタイミングでオンし、検出電圧をＡ／Ｄ変換器１５に送りＡ／Ｄ変換する。
【００１０】
ＡＤ変換器１５より送られてきた信号によって各電極の良否をＣＰＵ１６で判定する。１７は行電極ドライバー、１８は列電極ドライバー、１９は電極間の分布容量をダイオードで示したものである。
【００１１】
次ぎに図２に示す測定ユニットの測定動作について説明する。
【００１２】
（１）行電極のオープン・ショート検出
ａ．スイッチ４とスイッチ５を閉じ列電極ドライバー１８の出力を０Ｖにする。スイッチ７、８、１１を閉じる。
【００１３】
ｂ．定電流の値を設定した測定値（μＡ）にセットし、スイッチ８を開く。電流はスイッチ７とスイッチ４を通りパネルの分布容量に蓄積されて行きオペアンプ１０とオペアンプ１３の電圧が上昇する。
【００１４】
ｃ．ｔ１時間後にスイッチ１１を開く。パネルに蓄積された電圧がオペアンプ１３に保持されＡ／Ｄ変換器１５でデジタルデータに変換される。
【００１５】
ｄ．検出された電圧が正常な電圧の範囲にあるか否かをＣＰＵ１６で演算して良否の判定を行う。
【００１６】
（２）列電極のオープン・シヨート検出
ａ．スイッチ３とスイッチ６を閉じ行電極ドライバー１７の出力を０Ｖにする。スイッチ９、８、１１を閉じる。
【００１７】
ｂ．定電流の値を設定した測定値（μＡ）にセットしスイッチ８を開く。電流は６と９を通りパネルの分布容量に蓄積されて行き、オペアンプ１０、１３の電圧が上昇して行く。
【００１８】
ｃ．ｔ１時間後にスイッチ１１を開く。パネルに蓄積された電圧がオペアンプ１３に保持されＡ／Ｄ変換器１５でデジタルデータに変換される。
【００１９】
ｄ．制御回路のＣＰＵ１６で良否の判定を行う。
【００２０】
表示パネル検査装置は、複数個、例えば８個の測定ユニットを並置し、８本の電極を同時に検査できるように構成することができる。並置する測定ユニットの数は、表示パネルの電極数などにより適宜選択することができる。
【００２１】
また、実施例では有機ＥＬについて説明したが、本発明の表示パネル検査装置はマトリックスタイプの液晶表示装置についても適用可能である。
【００２２】
【発明の効果】
以上のように、本発明の表示パネル検査装置は、電極間に形成される分布容量に定電流電源を接続すると一定の傾斜で電圧が上昇する性質を用い、各電極に定電流を流し、一定時間後の電圧を検出し、ＣＰＵで電圧が正常な電圧の範囲にあるか否かを演算して、表示パネルのオープン、ショート、正常の判断を自動的に行うことにより、短時間にかつ正確に検査することが可能となる。
【図面の簡単な説明】
【図１】定電流を流した時間と電圧の関係を示す図である。
【図２】本発明による表示パネル検査装置の一例を示す図である。
【図３】カラー表示のパッシブマトリックスの有機ＥＬ表示パネル回路構成図である。
【符号の説明】
１．測定ユニット
２．定電流電源
３〜９．スイッチ
１０．オペアンプ
１１．スイッチ
１２．コンデンサ
１３．オペアンプ
１４．スイッチ
１５．Ａ／Ｄ変換器
１６．ＣＰＵ
１７．行電極ドライバー
１８．列電極ドライバー
１９．電極間分布容量
【図１】
2005003606.tif 000003
【図２】
2005003606.tif 000004
【図３】
2005003606.tif 000005